(57)【要約】【課題】虫干し等の手間のかかる手入れを必要とせず、衣類の虫やカビおよび湿気を防ぎ、保管するだけで虫干し効果を得ることができる画期的なキモノ等衣類の保護具並びにキモノ等の衣類の保管方法を提供すること。【解決手段】竹で形成され、キモノ等の衣類を載せる竹製敷材１と、この竹製敷材１に載せた前記衣類２を包む覆いシート材３とからなり、前記覆いシート材３は少なくともタンパク質を含む水分を浸透させて天然有機物を含有させたシート材としたキモノ等の衣類の保管具。【選択図】        図１
2004329342.tif 000002
【特許請求の範囲】
【請求項１】
竹で形成され、キモノ等の衣類を載せる竹製敷材と、この竹製敷材に載せた前記衣類を包む覆いシート材とからなり、前記覆いシート材は少なくともタンパク質を含む水分を浸透させて天然有機物を含有させたシート材としたことを特徴とするキモノ等の衣類の保管具。
【請求項２】
前記竹製敷材は、竹を解繊維化し、プレス圧搾を施した竹製板材としたことを特徴とする請求項１記載のキモノ等の衣類の保管具。
【請求項３】
前記覆いシート材に含有させる天然有機物によって遠赤外線の一種である活性光線が前記衣類に照射されるように構成したことを特徴とする請求項１記載のキモノ等の衣類の保管具。
【請求項４】
前記請求項１〜３のいずれか１項に記載のキモノ等の衣類の保管具を用い、前記竹製敷材に前記衣類を載せ、この竹製敷材に衣類を載せたまま、前記覆いシート材で包み、衣類を保管することを特徴とするキモノ等の衣類の保管方法。
【発明の詳細な説明】
【０００１】
【発明の属する技術分野】
本発明は、キモノ等の衣類の保管具並びにキモノ等の衣類の保管方法に関するものである。
【０００２】
【従来の技術】
従来、キモノ等の衣類の保管は、例えば折り畳んだキモノを一枚ずつタトウ紙に入れ、キモノ用防虫剤等とともに桐タンス内にて保管するといった方法がとられているが、キモノをこのような方法で保管するだけではカビや変色を十分に防ぐことが出来ないため、空気が乾燥した日に虫干し等の手入れが必要となる。そのため、このような手間のかかる作業を行わなくともキモノ等の衣類を簡単且つ安全に保管することができる手法が要望されている。
【０００３】
【発明が解決しようとする課題】
本発明は、上述の要望に応えるもので、竹製敷材にキモノ等の衣類を載せ、これらを覆いシート材で包み保管するといった簡単な方法で、キモノ等の衣類の虫やカビおよび湿気を防ぎ、保管するだけで虫干しと同様な効果が得られるキモノ等の衣類の保管具並びにキモノ等の衣類の保管方法を提供することを目的とする。
【０００４】
【課題を解決するための手段】
添付図面を参照して本発明の要旨を説明する。
【０００５】
竹で形成され、キモノ等の衣類を載せる竹製敷材１と、この竹製敷材１に載せた前記衣類２を包む覆いシート材３とからなり、前記覆いシート材３は少なくともタンパク質を含む水分を浸透させて天然有機物を含有させたシート材としたことを特徴とするキモノ等の衣類の保管具に係るものである。
【０００６】
また、前記竹製敷材１は、竹を解繊維化し、プレス圧搾を施した竹製板材としたことを特徴とする請求項１記載のキモノ等の衣類の保管具に係るものである。
【０００７】
また、前記覆いシート材３に含有させる天然有機物によって遠赤外線の一種である活性光線が前記衣類２に照射されるように構成したことを特徴とする請求項１記載のキモノ等の衣類の保管具に係るものである。
【０００８】
また、前記請求項１〜３のいずれか１項に記載のキモノ等の衣類の保管具を用い、前記竹製敷材１に前記衣類２を載せ、この竹製敷材１に衣類２を載せたまま、前記覆いシート材３で包み、衣類２を保管することを特徴とするキモノ等の衣類の保管方法に係るものである。
【０００９】
【発明の実施の形態】
好適と考える本発明の実施の形態（発明をどのように実施するか）を、その作用効果に基づき簡単に説明する。
【００１０】
本発明は、衣類２を載せるための敷材１として、殺菌力や吸湿力に秀れた竹製材を採用する。このため前記敷材１の上に折り畳んだ衣類２を載せると竹の有する防虫、防カビ効果により、衣類２を安全に保管することが出来る。
【００１１】
また、更に本発明では前記衣類２及び竹製敷材１を包む覆いシート材３により、前記衣類２は、折り畳んで敷材１の上に載せて覆いシート材３で包むだけで簡単に保管することができ、しかもこの覆いシート材３は、天然有機物を含有しており、前記天然有機物は遠赤外線の一種である活性光線放射体を含有しているものであるため、覆いシート材３にて前記衣類２及び竹製敷材１を包むことで衣類２の保管時に虫干しと同様の効果が得られる。
【００１２】
また、上記の天然有機物を含有した覆いシート材３は、少なくともタンパク質を含む水分を前記覆いシート材３に浸透させるのみの簡単な工程で製造することができる。
【００１３】
従って、本発明によれば、防虫、防カビ、吸湿効果を有する竹製敷材１にキモノ等の衣類を畳んで載せ、遠赤外線の一種である活性光線放射体を含有した覆いシート材３で包み保管するといった簡単な方法で、キモノ等の衣類の虫やカビおよび湿気を防ぎ、保管するだけで虫干し効果を得ることができるキモノ等の衣類の保管具並びにキモノ等の衣類の保管方法となる。
【００１４】
【実施例】
本発明の具体的な実施例について説明する。
【００１５】
本実施例における竹製敷材１について説明する。
【００１６】
敷材に用いる素材としては竹を採用した。竹の表皮部分には非常に強い抗菌成分が含まれており、キモノ等の衣類を虫やカビから守ることができる。
【００１７】
該竹は、竹の繊維（維管束）を解いて短く刻んだ後、プレス圧搾により板状に形成し、竹製敷材として用いた。
【００１８】
竹の繊維（維管束）は、優れた柔剛性を保有しているため、プレス圧搾によって、強度の高い竹製敷材１とすることができる。また、竹の繊維化により、吸湿能力も備わるため、キモノ等の衣類２を湿気から守ることができる。
【００１９】
また、上記竹製敷材１は、竹を繊維化した後、単繊維加工による単繊維複合板としたり、単板加工による単板合板としたり、微繊維加工により竹製ＭＤＦとしたり、一体構造整形加工により、竹繊維構造材としたものを用いても良い。
【００２０】
次に、本実施例における覆いシート材３について説明する。
【００２１】
覆いシート材３に用いる素材は、キモノ等の衣類２を痛めずに、キモノ等の衣類２および竹製敷材１全体を覆い包むことが容易で、且つある程度の通気性を有するようなものを採用する。
【００２２】
なお、本発明においては、前記覆いシート材３を活性光線放射体とするためにタンパク質を含む水分を浸透させ、乾燥させる方法による加工を行うため、用いる覆いシート材３の素材としては水分が浸透しやすいものが好ましく、具体的には不織布や布などを用いる。
【００２３】
前記覆いシート材３に浸透させるタンパク質を含む天然有機物は、遠赤外線の一種である活性光線の放射体であると言われている。
【００２４】
上記タンパク質は水溶液として覆いシート材３に簡単に浸透させることができるため、液体を覆いシート材３に浸透後、水分を乾燥させることにより、簡単に前記覆いシート材３自体に、前記タンパク質を含む天然有機物を含有させることができ、覆いシート材３に遠赤外線の放射能力を付与することができる。
【００２５】
そのため、前記覆いシート材３でキモノ等の衣類２を包みこむと、キモノ等の衣類に対して覆いシート材から活性光線が放射されるので、虫干しと同様の効果を及ぼすことができる。
【００２６】
表１に前記天然有機物を含有させるため、覆いシート材３の母材となる布や不織布に浸透させる液体の最適な実施例の成分を示す。
【００２７】
【表１】
2004329342.tif 000003
【００２８】
上記竹製敷材および上記覆いシート材を、和服を収納する際の保管具とする場合の実施例を説明する。
【００２９】
竹製敷材１の縦横の長さは、通常の方法で畳まれた和服２の縦横の長さと同程度、あるいはそれよりも少し余裕を持たせた長さとし、少なくとも前記竹製敷材１に前記和服２が収まるのに十分、且つ前記竹製敷材と前記和服を和服用収納棚に収めることができる長さとする。
【００３０】
和服を折り畳んだ際には、前記竹製敷材１は、おおよそ縦８０ｃｍ程度、横３５ｃｍ程度の長方形とすることで、畳まれた和服１をもれなく載せることが出来、例えば桐タンス等の和服用収納棚に収めることができる。
【００３１】
前記竹製敷材１の厚みは、和服２を載せた後、収納棚へ収納する際にその重みで曲がったりすることがなく、形状を保つことが出来る厚さとする。
【００３２】
覆いシート材３の縦横の長さは、通常の方法で畳まれた和服２と、前記竹製敷材１を全体的に覆い包むことができるものとする。
【００３３】
具体例を示すと、上記実施例に示したおおよそ縦８０ｃｍ程度、横３５ｃｍ程度の長方形の竹製敷材１およびその上に載せられた和服２を覆い包むためには、覆いシート材３はおおよそ縦横１２０ｃｍ程度の長さとすることが適当である。
【００３４】
前記長さとすることで、通常の方法で畳まれた和服を竹製敷材に載せた後に、覆いシート材で覆い包むことが出来、桐タンス等の収納棚に収めることができる。
【００３５】
具体例にて示した竹製敷材１と覆いシート材３は、通常の方法で畳んだ和服１枚のみでなく、和服１〜８枚を保管可能である。
【００３６】
和服１〜８枚を保管する場合、保管する和服は１枚でも８枚でも、前記竹製敷材１と覆いシート材３が及ぼす効果に差異は生じない。
【００３７】
上記竹製敷材１と上記覆いシート材３を用いて、和服を保管する場合の保管方法について図１〜３に示した実施例に基づいて説明する。
【００３８】
和服は、タトウ紙等から出して、通常の方法で畳んでおく。
【００３９】
図１は、和服を畳んで載せる前の竹製敷材１および覆いシート材３である。
【００４０】
前記覆いシート材３を広げた後、前記覆いシート材３の上に、前記竹製敷材１を、図１に示すように置く。
【００４１】
図２に示すように、この覆いシート材３の上の竹製敷材１上に、畳んだ和服２を載せる。
【００４２】
図３に示すように、竹製敷材１とそれに載せた和服２を、下に広げている覆いシート材３にて包み込み、この状態で桐タンスなどの収納棚に保管する。
【００４３】
上記覆いシート材３による竹製敷材１および和服２の包み方は様々考えられるが、竹製敷材およびキモノ等の衣類を全て覆うことができるのであれば、どのような方法で包んでもよい。
【００４４】
例えば、実施例として示した図１〜３は、覆いシート材３の対角線上に対して平行に竹製敷材１の長辺を配置させる方法であるので、その場合の包み方はふろしき包みとなる。
【００４５】
また、上記の他にも、覆いシート材３と竹製敷材１の各辺を平行させるように設置した場合の包み方は、合わせ包みとなる。
【００４６】
この保護具の覆いシート若しくは竹製敷材に防カビ効果を有する薬剤等を加えることによって、さらにキモノ等衣類における防カビ効果が確実となる。
【００４７】
また、本発明は、上記実施例に述べた和服に限らず、ロングコート用、コート用、スーツ用の保管具としての使用も可能である。この場合、覆いシート材や竹製敷材の寸法を適宜変更する必要がある。
【００４８】
例えば、ロングコートの保管具とする場合、ハンガーに掛けたロングコートを、覆いシート材で包むことが可能なように構成し、竹製敷材は、覆いシート材の内側で且つロングコートの背面にあたる部分に添うことが可能なように当接したり、ロングコートの内側に内封することが可能なような構成とする。
【００４９】
尚、本発明は本実施例に限られるものでなく、各構成要件の具体的構成は適宜設計し得るものである。
【００５０】
【発明の効果】
本発明は、上述のように構成したから、竹製敷材の上に折り畳んだ衣類を載せ、覆いシート材で包むという簡単な方法で、且つ簡易な構成で、衣類の虫やカビおよび湿気を防ぎ、保管するだけで虫干しと同等な効果を得ることができる画期的なキモノ等衣類の保管具並びにキモノ等の衣類の保管方法となる。
【００５１】
また、請求項２記載の発明においては、竹を解繊維化し、プレス圧搾を施した竹製敷材によって防虫効果、防カビ効果、防湿効果を得ることができるので衣類を更に安全に保管することができる。
【図面の簡単な説明】
【図１】本実施例の広げた覆いシート材に竹製敷材を置き、その上に衣類を載せた状態を示す説明斜視図である。
【図２】本実施例の覆いシート材の上の竹製敷材上に、衣類を載せ、この覆いシート材で包み込む途中の説明斜視図である。
【図３】本実施例の覆いシート材により包み終えた保管状態の説明斜視図である。
【符号の説明】
１  竹製敷材
２  衣類
３  覆いシート材
【図１】
2004329342.tif 000004
【図２】
2004329342.tif 000005
【図３】
2004329342.tif 000006